(57)【要約】【課題】入力される画像情報の種別に応じてより適切な画像を投写することが可能なプロジェクタ、等を提供すること。【解決手段】プロジェクタ１００が、ＰＣ２００から当該ＰＣ２００においてアクティブになっている画像の種別を示す種別情報と、当該画像を示す画像情報とを入力する入力部１１０と、前記種別情報に基づき、前記種別に応じて色の調整を行うためのカラーモードを設定するカラーモード設定部１２０と、前記画像情報に基づき、画像を生成する画像生成部１５０と、当該画像を投写する投写部１９０と、前記カラーモードに応じて前記投写部１９０によって投写される画像を調整する調整部１３０とを含んで構成される。【選択図】図３
2008185620.tif 000002
【特許請求の範囲】
【請求項１】
画像供給装置から当該画像供給装置においてアクティブになっている画像の種別を示す種別情報または前記アクティブになっている画像の識別情報と、当該画像を示す画像情報とを入力する入力部と、
前記種別情報に基づいて前記種別に応じて画像の調整を行うためのカラーモードを設定する処理または前記識別情報に基づいて前記種別を判定して当該種別に応じて前記カラーモードを設定する処理を実行するカラーモード設定部と、
前記画像情報に基づき、画像を生成する画像生成部と、
当該画像を投写する投写部と、
前記カラーモードに応じて前記投写部によって投写される画像を調整する調整部と、
を含むことを特徴とするプロジェクタ。
【請求項２】
請求項１に記載のプロジェクタにおいて、
ユーザーの操作情報を入力する操作部を含み、
他の少なくとも１台の画像供給装置から画像情報を入力する画像情報入力部と、
画像情報の入力ソースごとに当該入力ソースが使用対象かどうかを示す使用対象フラグと、入力ソースごとの前記カラーモードを示すデータとを含むカラーモードデータを記憶する記憶部と、
を含み、
前記カラーモード設定部は、入力ソースを変更することを示す前記操作情報に基づいて前記使用対象フラグを更新し、
前記調整部は、前記カラーモードデータに基づき、使用対象になっている入力ソースの前記カラーモードに応じて前記投写部によって投写される画像を調整することを特徴とするプロジェクタ。
【請求項３】
請求項１に記載のプロジェクタにおいて、
ユーザーの操作情報を入力する操作部を含み、
前記カラーモード設定部は、前記操作情報に基づき、前記カラーモードを変更する指示があった場合に、前記種別に応じて前記カラーモードを変更し、前記カラーモードを変更する指示がない場合は前記種別が変わった場合であっても前記カラーモードを変更しないことを特徴とするプロジェクタ。
【請求項４】
画像供給装置と、プロジェクタとを含む投写システムにおいて、
前記画像供給装置は、
当該画像供給装置においてアクティブになっている画像を判定する判定部と、
当該判定部によって判定された前記画像の種別を示す種別情報または当該画像の識別情報と、当該画像を示す画像情報とを出力する出力部と、
を含み、
前記プロジェクタは、
前記種別情報と、前記画像情報とを入力する入力部と、
前記種別情報に基づいて前記種別に応じて画像の調整を行うためのカラーモードを設定する処理または前記識別情報に基づいて前記種別を判定して当該種別に応じて前記カラーモードを設定する処理を実行するカラーモード設定部と、
前記画像情報に基づき、画像を生成する画像生成部と、
当該画像を投写する投写部と、
前記カラーモードに応じて前記投写部によって投写される画像を調整する調整部と、
を含むことを特徴とする投写システム。
【請求項５】
入力部と、カラーモード設定部と、調整部と、画像生成部と、投写部とを有するプロジェクタによる投写方法において、
前記入力部は、画像供給装置においてアクティブになっている画像の種別を示す種別情報または当該画像の識別情報と、当該画像を示す画像情報とを入力し、
前記カラーモード設定部は、前記種別情報に基づいて前記種別に応じて画像の調整を行うためのカラーモードを設定する処理または前記識別情報に基づいて前記種別を判定して当該種別に応じて前記カラーモードを設定する処理を実行し、
前記調整部は、前記カラーモードに応じて前記投写部によって投写される画像を調整し、
前記画像生成部は、前記調整部によって前記調整が行われた状態で、前記画像情報に基づき、画像を生成し、
前記投写部は、当該画像を投写することを特徴とする投写方法。
【発明の詳細な説明】
【技術分野】
【０００１】
本発明は、プロジェクタ、投写システムおよび投写方法に関する。
【背景技術】
【０００２】
例えば、特開２００６−５８６６８号公報に記載されているように、ノート型ＰＣ(Personal Computer)で表示されている画像の画像情報を、ノート型ＰＣがネットワークを介してプロジェクタに出力し、プロジェクタがＰＣで表示されている画像と同じ画像を表示する投写システムがある。また、ＰＣが実行するアプリケーションプログラムとしては、例えば、プレゼンテーション、動画像処理、静止画像処理等の種々のプログラムがある。
【０００３】
しかし、一般的な投写システムでは、ＰＣで実行されているアプリケーションプログラムとは無関係に画像情報が処理されている。なお、例えば、特開２００４−８８１９４号公報では、ＰＣで実行されているアプリケーションプログラムに応じた画像処理を実行する投写システムが提案されている。具体的には、特開２００４−８８１９４号公報の情報処理装置は、映像ソースの種別をファイルの形式、駆動ソフトウェアに基づいて判別する映像種別判別手段と、映像ソースの種別に対応したパラメータに基づいて画像データを加工し、プロジェクタの表示デバイスの仕様に対応した画像データを生成する画像加工手段を備えている。
【特許文献１】特開２００６−５８６６８号公報
【特許文献２】特開２００４−８８１９４号公報
【発明の開示】
【発明が解決しようとする課題】
【０００４】
しかし、画像を適切に投写するためには、プロジェクタが、画像の調整を行うためのカラーモードを調整することが必要になる。また、画面に複数種の画像が同時に表示されている場合、映像ソースの種別をファイルの形式、駆動ソフトウェアに基づいて判別することは困難である。
【０００５】
本発明の目的は、入力される画像情報の種別に応じてより適切な画像を投写することが可能なプロジェクタ、投写システムおよび投写方法を提供することにある。
【課題を解決するための手段】
【０００６】
上記課題を解決するため、本発明に係るプロジェクタは、画像供給装置から当該画像供給装置においてアクティブになっている画像の種別を示す種別情報または前記アクティブになっている画像の識別情報と、当該画像を示す画像情報とを入力する入力部と、前記種別情報に基づいて前記種別に応じて画像の調整を行うためのカラーモードを設定する処理または前記識別情報に基づいて前記種別を判定して当該種別に応じて前記カラーモードを設定する処理を実行するカラーモード設定部と、前記画像情報に基づき、画像を生成する画像生成部と、当該画像を投写する投写部と、前記カラーモードに応じて前記投写部によって投写される画像を調整する調整部と、を含むことを特徴とする。
【０００７】
また、本発明に係る投写システムは、画像供給装置と、プロジェクタとを含む投写システムにおいて、前記画像供給装置は、当該画像供給装置においてアクティブになっている画像を判定する判定部と、当該判定部によって判定された前記画像の種別を示す種別情報または当該画像の識別情報と、当該画像を示す画像情報とを出力する出力部と、を含み、前記プロジェクタは、前記種別情報と、前記画像情報とを入力する入力部と、前記種別情報に基づいて前記種別に応じて画像の調整を行うためのカラーモードを設定する処理または前記識別情報に基づいて前記種別を判定して当該種別に応じて前記カラーモードを設定する処理を実行するカラーモード設定部と、前記画像情報に基づき、画像を生成する画像生成部と、当該画像を投写する投写部と、前記カラーモードに応じて前記投写部によって投写される画像を調整する調整部と、を含むことを特徴とする。
【０００８】
また、本発明に係る投写方法は、入力部と、カラーモード設定部と、調整部と、画像生成部と、投写部とを有するプロジェクタによる投写方法において、前記入力部は、画像供給装置においてアクティブになっている画像の種別を示す種別情報または当該画像の識別情報と、当該画像を示す画像情報とを入力し、前記カラーモード設定部は、前記種別情報に基づいて前記種別に応じて画像の調整を行うためのカラーモードを設定する処理または前記識別情報に基づいて前記種別を判定して当該種別に応じて前記カラーモードを設定する処理を実行し、前記調整部は、前記カラーモードに応じて前記投写部によって投写される画像を調整し、前記画像生成部は、前記調整部によって前記調整が行われた状態で、前記画像情報に基づき、画像を生成し、前記投写部は、当該画像を投写することを特徴とする。
【０００９】
本発明によれば、プロジェクタ等は、アクティブな画像の種別に応じてカラーモードを設定し、画像の調整（例えば、画像の色および明るさの少なくとも一方の調整等）を行うことができるため、入力される画像情報の種別に応じてより適切な画像を投写することができる。
【００１０】
また、前記プロジェクタは、ユーザーの操作情報を入力する操作部を含み、他の少なくとも１台の画像供給装置から画像情報を入力する画像情報入力部と、画像情報の入力ソースごとに当該入力ソースが使用対象かどうかを示す使用対象フラグと、入力ソースごとの前記カラーモードを示すデータとを含むカラーモードデータを記憶する記憶部と、を含み、前記カラーモード設定部は、入力ソースを変更することを示す前記操作情報に基づいて前記使用対象フラグを更新し、前記調整部は、前記カラーモードデータに基づき、使用対象になっている入力ソースの前記カラーモードに応じて前記投写部によって投写される画像を調整してもよい。
【００１１】
これによれば、プロジェクタ等は、入力ソースが一旦別の入力ソースに変更された後に元の入力ソースに戻った場合に元の入力ソースで使用されていたカラーモードを設定することができるため、入力される画像情報の種別に応じてより適切な画像を投写することができる。
【００１２】
また、前記プロジェクタは、ユーザーの操作情報を入力する操作部を含み、前記カラーモード設定部は、前記操作情報に基づき、前記カラーモードを変更する指示があった場合に、前記種別に応じて前記カラーモードを変更し、前記カラーモードを変更する指示がない場合は前記種別が変わった場合であっても前記カラーモードを変更しなくてもよい。
【００１３】
これによれば、プロジェクタ等は、カラーモードを変更する指示があった場合のみカラーモードを変更することにより、画像供給装置で画像の種別が頻繁に変更される場合であってもカラーモードを頻繁に変更しなくて済み、カラーモードの変更による画像のちらつき等を抑え、適切に画像を投写することができる。
【発明を実施するための最良の形態】
【００１４】
以下、本発明をプロジェクタに適用した場合を例に採り、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１５】
（システム全体の説明）
図１は、投写システムの全体図である。投写システムは、プロジェクタ１００と、画像供給装置の一種であるＰＣ２００とを含んで構成されている。プロジェクタ１００は、ＰＣ２００でキャプチャーされた画像の画像情報を、ケーブル３００（例えば、ＵＳＢケーブル、ＬＡＮケーブル等）を介して入力し、当該画像情報に基づいて画像を投写する。
【００１６】
図２は、ＰＣで表示されるアクティブなウインドウ４１０を含む画像４００を示す図である。例えば、画像４００には、３つのウインドウ４１０〜４３０が含まれる。ウインドウ４２０はウインドウ４１０の背景に隠れており、ウインドウ４３０は最小化されている。この場合、ウインドウ４１０がアクティブなウインドウ（画像）である。ＰＣ２００は、アクティブな画像をキャプチャーするものとする。
【００１７】
（第１の実施例）
第１の実施例では、ＰＣ２００は、アクティブな画像の種別を判定し、パケット形式で画像情報および種別情報をプロジェクタ１００に出力する機能を有する。また、プロジェクタ１００は、種別情報に基づいてカラーモードを設定し、当該カラーモードに応じて画像の調整を行う機能を有する。次に、このような機能を有するＰＣ２００およびプロジェクタ１００の機能ブロックについて説明する。
【００１８】
図３は、第１の実施例における投写システムの機能ブロック図である。ＰＣ２００は、アクティブな画像を所定のタイミング（例えば、垂直同期信号と同じタイミング、１／３０秒ごと等）でキャプチャーして当該画像を示す画像情報を生成する画像キャプチャー部２１０と、当該画像の種別を判定して当該種別を示す種別情報を生成する判定部２２０と、画像キャプチャー部２１０からの画像情報と判定部２２０からの種別情報を含むパケットを生成するパケット生成部２３０と、当該パケットをプロジェクタ１００に出力する出力部２４０とを含んで構成されている。
【００１９】
なお、パケット生成部２３０は、出力部２４０の機能やケーブル３００の種別、通信帯域等に応じてパケットを分割して生成してもよい。また、パケットは、例えば、使用プロトコルに応じたヘッダ、パケット種別（例えば、コマンド、画像、分割画像、種別等）、内容で構成されてもよい。また、画像キャプチャー部２１０は、前回キャプチャーした画像と変化のあった領域だけをキャプチャーしたり、画像情報を圧縮したりしてもよい。
【００２０】
また、判定部２２０は、具体的には、例えば、ＡＰＩ(Application Program Interface)の命令（例えば、GetActiveWindow等）を用いてアクティブなウインドウ４１０の識別名（例えば、ハンドル名等）を取得し、当該識別名と種別との対応付けを示すテーブルを参照して種別を決定してもよい。また、判定部２２０は、例えば、ＰＣ２００で起動中のプロセスを把握し、ＣＰＵ使用率が最も高いプロセスをアクティブなアプリケーションと判定し、当該アプリケーションの識別名と種別とが対応付けられたテーブルを参照して種別を決定してもよい。
【００２１】
このような識別名と種別の対応付けとしては、例えば、識別名がMicrosoft社の「Power Point」等である場合の種別は「プレゼンテーション」、識別名がMicrosoft社の「Media Player」、Adobe社の「Flash Player」等である場合の種別は「動画」、識別名がMicrosoft社の「Photo Story」等である場合の種別は「静止画」になる。なお、これらの種別に該当しない場合の種別は「その他」になる。判定部２２０は、決定した種別を示す種別情報を生成する。
【００２２】
なお、ＰＣ２００の各部の機能を実装するためのハードウェアとしては、例えば、以下のものが採用されてもよい。例えば、画像キャプチャー部２１０としては、画像処理回路、ＶＲＡＭ等、判定部２２０としてはＣＰＵ、テーブルを記憶するＲＯＭ等、パケット生成部２３０としては一般的なパケット生成ユニット等、出力部２４０としてはネットワークインターフェースカード等が採用されてもよい。
【００２３】
次に、プロジェクタ１００の機能ブロックについて説明する。プロジェクタ１００は、ＰＣ２００からのパケットを入力する入力部１１０と、パケットに含まれる種別情報に基づき、種別に応じて色の調整を行うためのカラーモードを設定するカラーモード設定部１２０と、カラーモードに応じて画像を調整する調整部１３０と、種々のデータを記憶する記憶部１４０と、パケットに含まれる画像情報に基づき、画像を生成する画像生成部１５０と、当該画像を投写する投写部１９０とを含んで構成されている。
【００２４】
なお、入力部１１０は、例えば、分割されたパケットを元の状態に組み立てる機能、圧縮された情報を元の情報に復元する機能等を有してもよい。また、画像生成部１５０は、画像情報が差分の画像情報を示す場合、全体の画像情報を保持しておき、新たな画像情報を上書きして全体の画像情報を生成してもよい。
【００２５】
また、記憶部１４０は、種別とカラーモードとが対応付けられた種別モード対応付けデータ１４２、カラーモード設定部１２０によって設定されたカラーモードを示すカラーモードデータ１４４等を記憶している。
【００２６】
また、種別モード対応付けデータ１４２における種別とカラーモードとの対応付けとしては、例えば、種別が「プレゼンテーション」である場合のカラーモードは「プレゼンテーションモード」、種別が「動画」である場合のカラーモードは「シアターモード」、種別が「静止画」である場合のカラーモードは「フォトモード」、種別が「その他」である場合のカラーモードは「ｓＲＧＢモード」になる。
【００２７】
なお、プロジェクタ１００の各部の機能を実装するためのハードウェアとしては、例えば、以下のものが採用されてもよい。例えば、入力部１１０としてはネットワークインターフェースカード等、カラーモード設定部１２０、調整部１３０としてはＣＰＵ等、記憶部１４０としてはＲＡＭ等、画像生成部１５０としては画像処理回路等、投写部１９０としてはランプ、液晶ライトバルブ、投写レンズ等が採用されてもよい。
【００２８】
次に、投写システムにおける投写手順について説明する。図４は、第１の実施例における投写手順を示すフローチャートである。まず、ＰＣ２００における処理について説明する。画像キャプチャー部２１０は、アクティブなウインドウ４１０を特定してウインドウ４１０の画像をキャプチャーし、画像情報を生成する（ステップＳ１）。
【００２９】
判定部２２０は、画像キャプチャー部２１０によって特定されたウインドウ４１０の識別名（アプリケーション名等）からテーブルを参照して種別を判定し、種別情報を生成する（ステップＳ２）。ここでは、識別名が「Power Point」であり、種別が「プレゼンテーション」であるものとする。
【００３０】
パケット生成部２３０は、画像キャプチャー部２１０からの画像情報と判定部２２０からの種別情報を含むパケットを生成し、出力部２４０は、当該パケットを、ケーブル３００を介してプロジェクタ１００に出力する（ステップＳ３）。なお、パケット生成部２３０は、例えば、出力開始パケット、種別情報を含む種別通知パケット、画像情報を含む画像情報パケット、画像情報パケット、・・・画像情報パケット、出力終了パケットの順番にパケットを生成してもよい。また、パケット生成部２３０は、種別に変化があった場合のみ種別通知パケットを生成してもよい。
【００３１】
次に、プロジェクタ１００における処理について説明する。入力部１１０は、ＰＣ２００からのパケットを入力する（ステップＳ４）。カラーモード設定部１２０は、種別モード対応付けデータ１４２から種別通知パケットに含まれる種別情報に該当する種別と当該種別に対応するカラーモードを決定し、カラーモードデータ１４４を更新することにより、現在のカラーモードが当該カラーモードであることを設定する（ステップＳ５）。ここでは、種別が「プレゼンテーション」であるため、カラーモードは「プレゼンテーションモード」に設定される。
【００３２】
調整部１３０は、カラーモードデータ１４４を参照して現在のカラーモードを把握し、カラーモードに応じて画像を調整する（ステップＳ６）。具体的には、例えば、調整部１３０は、画像生成部１５０における調整用データ（例えば、色変換用行列、色調整用３次元ルックアップテーブル、明るさ調整用１次元ルックアップテーブル、ガンマカーブ等）を補正したり、投写部１９０におけるランプの輝度を調整したりする。
【００３３】
例えば、カラーモードが「プレゼンテーションモード」の場合、調整部１３０は、明るさを重視するため、ランプの輝度を上げたり、色温度や彩度を上げるように明るさ調整用１次元ルックアップテーブルを調整したり、ガンマ特性を明部重視の設定にしたりする。また、例えば、カラーモードが「シアターモード」の場合、調整部１３０は、暗いシーンでの表現を重視するため、ランプの輝度を下げたり、ガンマ特性を暗部重視の設定にしたりする。
【００３４】
そして、画像生成部１５０は、画像情報パケットに含まれる画像情報、調整用データ等に基づき、画像を生成し（ステップＳ７）、投写部１９０は当該画像を投写する（ステップＳ８）。これにより、プロジェクタ１００は、例えば、ＰＣ２００のアクティブなウインドウ４１０で「Power Point」の画像が表示されている場合、「プレゼンテーション」の表示に適した「プレゼンテーションモード」に設定し、「プレゼンテーションモード」で画像を投写することができる。
【００３５】
以上のように、本実施例によれば、プロジェクタ１００は、アクティブな画像の種別に応じてカラーモードを設定し、画像の調整を行うことができるため、入力される画像情報の種別に応じてより適切な画像を投写することができる。
【００３６】
特に、プロジェクタ１００は、図２に示すように、１つの画像４００内に複数のウインドウ４１０〜４３０や画像が存在する場合であっても、アクティブな画像の種別を取得することにより、適切な設定で画像を投写することができる。
【００３７】
（第２の実施例）
次に、ＰＣ２００と、他の画像供給装置の一種であるＤＶＤプレーヤー２９０から画像情報がプロジェクタに入力される場合について説明する。図５は、第２の実施例における投写システムの機能ブロック図である。ＰＣ２００の構成は第１の実施例と同様であるため、説明を省略する。
【００３８】
プロジェクタ１０１は、ＤＶＤプレーヤー２９０からの画像情報を入力する画像情報入力部１６０と、ユーザーの操作を示す操作情報を入力する操作部１８０と、ユーザーの操作に応じてＰＣ２００からの画像情報またはＤＶＤプレーヤー２９０からの画像情報を入力するように入力部１１０、画像情報入力部１６０等を制御する制御部１７０とを含んで構成されている。
【００３９】
また、第２の実施例のカラーモードデータ１４４は、プロジェクタ１０１の入力ソースごとのカラーモードを示す。図６は、第２の実施例におけるカラーモードデータ１４４の一例を示す図である。例えば、図６に示す例では、プロジェクタ１００への画像情報の入力ソースが「ＰＣ」である場合のカラーモードは「プレゼンテーションモード」であり、入力ソースが「ＤＶＤプレーヤー」である場合のカラーモードは「シアターモード」である。
【００４０】
また、カラーモードデータ１４４には調整部１３０等の使用対象かどうかを示す「使用フラグ」等も含まれる。例えば、「使用フラグ」が「１」であれば使用対象であり、「使用フラグ」が「０」であれば使用対象ではない。プロジェクタ１０１のその他の構成は第１の実施例と同様であるため、説明を省略する。
【００４１】
なお、これらの各部の機能を実装するためのハードウェアとしては、例えば、以下のものが採用されてもよい。例えば、画像情報入力部１６０としては画像入力端子、ビデオデコーダ等、制御部１７０としてはＣＰＵ等、操作部１８０としては、ボタン、リモートコントローラ等が採用されてもよい。
【００４２】
次に、第２の実施例における投写手順について説明する。図７は、第２の実施例における投写手順を示すフローチャートである。一般的な投写手順は第１の実施例と同様であるため説明を省略する。
【００４３】
制御部１７０は、操作部１８０からの操作情報に基づき、入力ソースを変更する指示があったかどうかを判定する（ステップＳ１１）。入力ソースを変更する指示があった場合、制御部１７０は、入力ソースの変更前に画像情報を入力していた入力部（入力部１１０または画像情報入力部１６０）を使用不可に設定する（ステップＳ１２）。
【００４４】
例えば、制御部１７０は、入力部１１０を使用不可状態にする場合、入力部１１０のパケット入力機能を使用不可状態にし、ＰＣ２００との接続を遮断し、画像情報入力部１６０のビデオデコーダを使用可能状態にする。また、例えば、制御部１７０は、画像情報入力部１６０を使用不可状態にする場合、画像情報入力部１６０のビデオデコーダを使用不可状態にし、入力部１１０のパケット入力機能を使用可能状態にし、ＰＣ２００との接続を確立させる。
【００４５】
また、カラーモード設定部１２０は、操作部１８０からの操作情報に基づき、入力ソースを変更する指示があった場合、使用対象を変更するようにカラーモードデータ１４４を更新する（ステップＳ１３）。具体的には、例えば、入力ソースがＰＣ２００からＤＶＤプレーヤー２９０に変更された場合、カラーモード設定部１２０は、カラーモードデータ１４４において、「ＰＣ」用の「使用フラグ」を「１」から「０」に変更し、「ＤＶＤプレーヤー」用の「使用フラグ」を「０」から「１」に変更する。
【００４６】
調整部１３０は、現在のカラーモードと、カラーモードデータ１４４における使用対象になった入力ソースのカラーモードとを比較することにより、カラーモードに応じた画像の調整を行う必要があるかどうかを判定する（ステップＳ１４）。例えば、現在のカラーモードが「プレゼンテーションモード」で使用対象になった入力ソースのカラーモードが「シアターモード」である場合のように両者が異なる場合はカラーモードに応じた画像の調整を行う必要がある。
【００４７】
カラーモードに応じた画像の調整を行う必要がある場合、調整部１３０は、第１の実施例で説明したカラーモードに応じた画像の調整を行う（ステップＳ１５）。画像生成部１５０は、入力ソースが画像情報入力部１６０の場合は画像情報入力部１６０によって入力された画像情報に基づき、画像を生成し（ステップＳ１６）、投写部１９０は、当該画像を投写する（ステップＳ１７）。なお、入力ソースがＰＣ２００である場合、プロジェクタ１０１は、第１の実施例で説明した手順で画像を投写する。
【００４８】
以上のように、本実施例によれば、プロジェクタ１０１は、入力ソースが一旦別の入力ソースに変更された後に元の入力ソースに戻った場合に元の入力ソースで使用されていたカラーモードを使用対象にすることができるため、入力される画像情報の種別に応じてより適切な画像を投写することができる。
【００４９】
すなわち、ユーザーは、例えば、入力ソースをＰＣ２００からＤＶＤプレーヤー２９０に変更した場合であっても、カラーモードをＤＶＤプレーヤー２９０に合わせて変更する必要はない。これにより、プロジェクタ１０１は、ユーザーによるプロジェクタ１０１の使い易さを向上させることができる。
【００５０】
（第３の実施例）
次に、第２の実施例の構成に近い構成で、プロジェクタからＰＣにパケット出力開始要求等を行う場合について説明する。図８は、第３の実施例における投写システムの機能ブロック図である。
【００５１】
第３の実施例におけるＰＣ２０１は、出力部２４０に代えて入出力部２４２を有している。また、第３の実施例におけるプロジェクタ１０２は、入力部１１０に代えて入出力部１１２を有している。入出力部２４２および入出力部１１２は、パケットの入出力機能を有する。その他の構成は第２の実施例と同様であるため、説明を省略する。
【００５２】
次に、第３の実施例における投写手順について説明する。図９は、第３の実施例における投写手順を示すフローチャートである。一般的な投写手順は第１の実施例と同様であるため説明を省略する。
【００５３】
パケット生成部１１４は、操作部１８０からの操作情報に基づき、入力ソース変更によってＰＣ２０１から画像情報を入力するかどうかを判定する（ステップＳ２１）。ＰＣ２０１から画像情報を入力する場合、パケット生成部１１４は、出力開始要求パケットを生成し、入出力部１１２は、出力開始要求パケットを、ケーブル３００を介してＰＣ２０１に出力する（ステップＳ２２）。
【００５４】
ＰＣ２０１は、入出力部２４２が出力開始要求パケットを入力した場合、第１の実施例で説明したステップＳ１〜Ｓ３の処理を開始する。
【００５５】
一方、入力ソース変更によってＤＶＤプレーヤー２９０から画像情報を入力する場合、パケット生成部１１４は、出力停止要求パケットを生成し、入出力部１１２は、出力停止要求パケットを、ケーブル３００を介してＰＣ２０１に出力する（ステップＳ２３）。
【００５６】
ＰＣ２０１は、入出力部２４２が出力停止要求パケットを入力した場合、第１の実施例で説明したステップＳ１〜Ｓ３の処理を終了する。
【００５７】
以上のように、本実施例によれば、プロジェクタ１０２からＰＣ２０１の処理を制御することができる。これにより、例えば、入力ソースがＰＣ２０１からＤＶＤプレーヤー２９０に変更された場合等において、プロジェクタ１０２は、ＰＣ２０１にパケットの出力を停止させることができ、ＰＣ２０１およびプロジェクタ１０２における不要な処理を停止させ、ＰＣ２０１およびプロジェクタ１０２を快適に動作させることができる。
【００５８】
（その他の実施例）
なお、本発明の適用は上述した実施例に限定されず、種々の変形が可能である。例えば、プロジェクタ１００〜１０２は、操作部１８０からカラーモード自動変更の指示があった場合に種別情報等に基づいてカラーモードを変更し、操作部１８０からカラーモードを変更しない指示があった場合に種別情報等に関わらずカラーモードを変更しなくてもよい。これによれば、ユーザーは、ＰＣ２００、２０１のアクティブなアプリケーションが頻繁に変更されることによってカラーモードが頻繁に変更される事態の発生を防止することができる。
【００５９】
また、上述した実施例では、プロジェクタ１００〜１０２は、ＰＣ２００、２０１からアクティブな画像の種別を示す種別情報を入力したが、入力部１１０、入出力部１１２が、当該識別情報に代えて当該画像の識別情報を入力し、カラーモード設定部１２０が、識別情報と種別とが対応付けられたテーブルを参照して当該識別情報が該当する種別を判定し、当該種別に応じてカラーモードを設定してもよい。
【００６０】
また、上述した実施例ではパケットの入出力が行われているが、画像情報等の通信方式は任意であり、パケット通信には限定されない。また、ケーブル３００は必須ではなく、例えば、投写システムにおける通信方式が無線通信方式の場合、ケーブル３００は不要である。
【００６１】
また、カラーモードは上述したモードには限定されず、適用されるプロジェクタに応じて種々のモード（例えば、リビングモード、ダイナミックモード、黒板モード等）を採用可能である。また、調整部１３０は、画像の色と明るさの両方を調整してもよいし、画像の色のみを調整してもよいし、画像の明るさのみを調整してもよい。
【００６２】
また、画像キャプチャー部２１０は、アクティブなウインドウ４１０の画像をキャプチャーしたが、アクティブなウインドウ４１０を含む全体の画像４００をキャプチャーしてもよいし、全画面表示された状態の画像をキャプチャーしてもよい。すなわち、画像情報で示される画像は、ウインドウ４１０の画像には限定されず、種々の画像を採用可能である。
【００６３】
また、プロジェクタ１００〜１０２としては、例えば、液晶プロジェクタ、ＣＲＴ（Cathode Ray Tube）プロジェクタ、ＤＭＤ（Digital Micromirror Device）を用いたプロジェクタ等を用いてもよい。なお、ＤＭＤは米国テキサスインスツルメンツ社の商標である。
【００６４】
また、画像供給装置は、ＰＣ２００、２０１、ＤＶＤプレーヤー２９０には限定されず、例えば、ゲーム装置、携帯電話等であってもよい。すなわち、上述したＰＣ２００、２０１の機能をＤＶＤプレーヤー２９０、ゲーム装置、携帯電話等に実装することも可能である。
【図面の簡単な説明】
【００６５】
【図１】投写システムの全体図である。
【図２】ＰＣで表示されるアクティブな画像を含む画像を示す図である。
【図３】第１の実施例における投写システムの機能ブロック図である。
【図４】第１の実施例における投写手順を示すフローチャートである。
【図５】第２の実施例における投写システムの機能ブロック図である。
【図６】第２の実施例におけるカラーモードデータの一例を示す図である
【図７】第２の実施例における投写手順を示すフローチャートである。
【図８】第３の実施例における投写システムの機能ブロック図である。
【図９】第３の実施例における投写手順を示すフローチャートである。
【符号の説明】
【００６６】
１００〜１０２  プロジェクタ、１１０  入力部、１１２  入出力部、１１４  パケット生成部、１２０  カラーモード設定部、１３０  調整部、１４０  記憶部、１４２  種別モード対応付けデータ、１４４  カラーモードデータ、１５０  画像生成部、１６０  画像情報入力部、１７０  制御部、１８０  操作部、１９０  投写部、２００  ＰＣ、２１０  画像キャプチャー部、２２０  判定部、２３０  パケット生成部、２４０  出力部、２４２  入出力部、２９０  ＤＶＤプレーヤー、３００  ケーブル、４００  画像、４１０〜４３０  ウインドウ
【図１】
2008185620.tif 000003
【図２】
2008185620.tif 000004
【図３】
2008185620.tif 000005
【図４】
2008185620.tif 000006
【図５】
2008185620.tif 000007
【図６】
2008185620.tif 000008
【図７】
2008185620.tif 000009
【図８】
2008185620.tif 000010
【図９】
2008185620.tif 000011